(57)【要約】【課題】本発明は、光ディスク装置とそれを用いた電子機器に関するものであり、ディスクからの読み出しあるいは書き込みの動作を安定化させる事を目的とするものである。【解決手段】そしてこの目的を達成するために、本発明は、本体ケース１の外周に、電源供給用あるいは信号入出力用の少なくとも一方の機能を有するコネクター１１を設け、このコネクター１１のディスクの回転方向の上流側と下流側にそれぞれ通気口を設け、これらコネクター１１両側の通気口のうちディスクの回転上流側の通気口を空気流出口１２、ディスクの回転下流側の通気口を空気流入口１３とし、この空気流入口１３の近傍に、制御素子６を配置した。【選択図】図２
2010146657.tif 000002
【特許請求の範囲】
【請求項１】
本体ケースと、
この本体ケース内に出没自在に設けたトレーと、
このトレー上に配置されるディスクの回転駆動手段と、
この回転駆動手段によって回転駆動されるディスクへの読み出しあるいは書き込みの少なくとも一方を行う光ピックアップと、
この光ピックアップと前記回転駆動手段の少なくとも一方の制御を行う制御素子と、
を備え、
前記本体ケースの外周に、電源供給用あるいは信号入出力用の少なくとも一方の機能を有するコネクターを設け、このコネクターのディスクの回転方向の上流側と下流側にそれぞれ通気口を設け、これらコネクター両側の通気口のうちディスクの回転上流側の通気口を空気流出口、ディスクの回転下流側の通気口を空気流入口とし、この空気流入口の近傍に前記制御素子を配置し、前記制御素子に対応する前記トレー部分に、前記回転駆動手段の中心から所定の角度の略拡角状態でかつ前記制御素子よりも大きな切欠きを形成した光ディスク装置。
【請求項２】
トレーの切欠きは、コネクターの空気流入口よりもディスクの回転上流側まで切り欠かかれた構成とした請求項１に記載の光ディスク装置。
【請求項３】
トレーの切欠きのディスクの回転上流側近傍には、通気孔を設けた請求項１または２に記載の光ディスク装置。
【請求項４】
通気孔は、トレーの空気流出口と空気流入口の間で、空気流出口よりも空気流入側に複数個設けた請求項１から３いずれか一つに記載の光ディスク装置。
【請求項５】
制御素子は、トレーの切欠きよりも大きな枠体で囲った請求項１から４いずれか一つに記載の光ディスク装置。
【請求項６】
空気流出口は、ディスクの外周の接線方向で、このディスクの回転下流側に対応する本体ケース部分に設けた請求項１から５いずれか一つに記載の光ディスク装置。
【請求項７】
本体ケースは、矩形形状とし、その前面側をトレーの出没開口とし、この本体ケースの背面側で、この背面に対してディスクの回転上流側の側辺の近接する部分に、コネクターを設けた請求項１から６いずれか一つに記載の光ディスク装置。
【請求項８】
空気流出口は、側辺の延長直線方向に開口させた構成とした請求項７に記載の光ディスク装置。
【請求項９】
請求項１から請求項８のいずれか一つの光ディスク装置を用いた電子機器。
【発明の詳細な説明】
【技術分野】
【０００１】
本発明は、光ディスク装置とそれを用いた電子機器に関するものである。
【背景技術】
【０００２】
従来の光ディスク装置の構成は次のような構成となっていた。すなわち、本体ケースと、この本体ケース内に出没自在に設けたトレーと、このトレー上に配置されるディスクの回転駆動手段と、この回転駆動手段によって回転駆動されるディスクへの読み出しあるいは書き込みの少なくとも一方を行う光ピックアップと、この光ピックアップと前記回転駆動手段の少なくとも一方の制御を行う制御素子とを備えた構成となっていた（例えば、下記特許文献１）。
【特許文献１】特開２００４−１８５８０４号公報
【発明の開示】
【発明が解決しようとする課題】
【０００３】
上記従来の技術のおける課題は、ディスクからの読み出しあるいは書き込みの動作が不安定になるということであった。
【０００４】
すなわち、読み込みあるいは書き込みの動作スピードを高めるために制御素子の動作も高速化しそれに伴ってこの制御素子が発熱し、その結果としてディスクからの読み出しあるいは書き込みの動作が不安定になるのであった。
【０００５】
そこで本発明は、ディスクからの読み出しあるいは書き込みの動作を安定化させる事を目的とするものである。
【課題を解決するための手段】
【０００６】
そしてこの目的を達成するために、本発明は、本体ケースと、この本体ケース内に出没自在に設けたトレーと、このトレー上に配置されるディスクの回転駆動手段と、この回転駆動手段によって回転駆動されるディスクへの読み出しあるいは書き込みの少なくとも一方を行う光ピックアップと、この光ピックアップと前記回転駆動手段の少なくとも一方の制御を行う制御素子と、を備え、前記本体ケースの外周に、電源供給用あるいは信号入出力用の少なくとも一方の機能を有するコネクターを設け、このコネクターのディスクの回転方向の上流側と下流側にそれぞれ通気口を設け、これらコネクター両側の通気口のうちディスクの回転上流側の通気口を空気流出口、ディスクの回転下流側の通気口を空気流入口とし、この空気流入口の近傍に、前記制御素子を配置し、これにより所期の目的を達成するものである。
【発明の効果】
【０００７】
以上のように本発明は、本体ケースと、この本体ケース内に出没自在に設けたトレーと、このトレー上に配置されるディスクの回転駆動手段と、この回転駆動手段によって回転駆動されるディスクへの読み出しあるいは書き込みの少なくとも一方を行う光ピックアップと、この光ピックアップと前記回転駆動手段の少なくとも一方の制御を行う制御素子と、を備え、前記本体ケースの外周に、電源供給用あるいは信号入出力用の少なくとも一方の機能を有するコネクターを設け、このコネクターのディスクの回転方向の上流側と下流側にそれぞれ通気口を設け、これらコネクター両側の通気口のうちディスクの回転上流側の通気口を空気流出口、ディスクの回転下流側の通気口を空気流入口とし、この空気流入口の近傍に、前記制御素子を配置したものであるので、ディスクからの読み出しあるいは書き込みの動作を安定化させることができる。
【０００８】
すなわち、本発明においては、前記本体ケースの外周に、電源供給用あるいは信号入出力用の少なくとも一方の機能を有するコネクターを設け、このコネクターのディスクの回転方向の上流側と下流側にそれぞれ通気口を設け、これらコネクター両側の通気口のうちディスクの回転上流側の通気口を空気流出口、ディスクの回転下流側の通気口を空気流入口とし、この空気流入口の近傍に、前記制御素子を配置したものであるので、コネクターのディスクの回転上流側の空気流出口から、高温空気を本体ケース外に、流出させ、また、コネクターのディスクの回転下流側の空気流入口から流入した低温空気で制御素子を冷却することが出来、その結果として、制御素子が、異常高温化することは無く、これにより、ディスクからの読み出しあるいは書き込みの動作を安定化させることができるのである。
【発明を実施するための最良の形態】
【０００９】
図１は、電子機器の一例として用いたパーソナルコンピュータに活用される光ディスク装置を示し、矩形状で、薄い箱状となった本体ケース１と、この本体ケース１内に出没自在に設けた図２のトレー２と、このトレー２上に配置される円板状のディスク（図面の煩雑化を避けるために図示していないが、図２に示す円形の収納部３よりも若干小径の円板）の回転駆動手段４と、この回転駆動手段４によって回転駆動されるディスクへの読み出しあるいは書き込みの少なくとも一方を行う光ピックアップ５と、この光ピックアップ５と回転駆動手段４の両方の制御を行う制御素子６とを備えている。
【００１０】
前記回転駆動手段４と前記光ピックアップ５は、図２に示すようにトレー２に搭載され、このトレー２とともに本体ケース１の前面の開口部７から本体ケース１外に移動し、またこのトレー２とともに図１の如く本体ケース１内に移動する構成となっている。
【００１１】
一方、制御素子６はこの図２からも明らかなように、本体ケース１内の内部の背面側に設置されたものでありトレー２が本体ケース１内に移動した際には、図３の如くトレー２に形成した切欠き８内に存在する状態となっている。
【００１２】
つまり、この図３に示すように切欠き８は、制御素子６よりも大きく切りかかれた状態となっているので、トレー２が本体ケース１内に移動した際にもこの制御素子６とトレー２が衝突することはない。
【００１３】
また、このように切欠き８を設けることで、本体ケース１を図１の如く薄型化することもできる。
【００１４】
また、制御素子６は、図２に示す如くその外周を枠体９で囲んだ状態としており、この枠体９の大きさは図３からも理解されるように、切欠き８よりも大きなものとしている。
【００１５】
なお、この制御素子６と前記回転駆動手段４と光ピックアップ５は、フレキシブルケーズル１０によって電気的に結合されている。
【００１６】
また、このフレキシブルケーブル１０を介して回転駆動手段４および光ピックアップ５への電源供給および信号の入出力を行うためのコネクター１１は、本体ケース１の背面側に設けられている。
【００１７】
つまり、コネクター１１により制御素子６や回転駆動手段４や光ピックアップ５への電源供給が行われ、またこれらの制御素子６や回転駆動手段４や光ピックアップ５に対する信号の入出力もこのコネクター１１を介して行われる。
【００１８】
以上の説明で、基本的な構成および動作が理解されたところで、以下本実施の形態の特徴点について説明する。
【００１９】
本実施の形態においては、図５、図６に示すように、コネクター１１のディスクの回転方向（図３、図４においてディスクは時計回りの方向）上流側に空気流出口１２、ディスクの回転方向下流側に空気流入口１３を設けた。
【００２０】
具体的には、コネクター１１の両側に本体ケース１との間で隙間を形成し、この隙間により前記空気流出口１２、前記空気流入口１３を形成したものである。
【００２１】
このうち、空気流出口１２は、矩形形状の本体ケース１の背面側で、この背面に対してディスクの回転方向上流側の側辺１Ａの近接する部分で、側辺１Ａの延長直線方向に開口させている。
【００２２】
この状態において、トレー２を図２の状態から、図５、図６のように本体ケース１内に移動（収納）させ、回転駆動手段４によりディスクを回転駆動すると光ピックアップ５で読み出しあるいは書き込みが行われるのであるが、このディスクの回転（図３、図４においてディスクは時計回りに回転）により、このディスクの上下面ともその中心部分から外周部分に向かって大きな空気流が発生する。
【００２３】
このうち、ディスクの下面側においては、図５や図６に示すように、ディスクの外周面から吹きだされた高温の空気流は、このディスクの外周に接する方向に直線的に配置された前記本体ケース１の側辺１Ａに沿って勢いよく空気流出口１２から本体ケース１外へと流出することとなる。
【００２４】
また、この空気流出口１２から本体ケース１外への空気流出に伴って本体ケース１内が、負圧になるためか空気流入口１３からは、本体ケース１外から低温の冷却用空気が本体ケース１内へと流入することになる。
【００２５】
さて、空気流入口１３のディスクの回転方向下流側には、図６の如く、制御素子６が配置されているので、前記冷却用空気によって、この制御素子６は効果的に冷却されることになる。
【００２６】
以下、この冷却用空気についてさらに詳細に説明をする。図５に示すように、トレー２のコネクター１１部分近傍には、通風孔１４が設けられている。
【００２７】
また、この通風孔１４のディスクの回転方向下流側には、複数の通気口１５が設けられている。これらの通気口１５を設けるにあたり、切欠き８は、図４の破線に示す如く、回転駆動手段４の中心から所定の角度（好ましくは、２５度〜５０度の範囲の角度）の拡角状態で形成され、そのディスクの回転方向上流側は、図４の如く、空気流入口１３よりも上流側にまで達するものとしている。
【００２８】
そして、このように形成された切欠き８のディスクの回転方向上流部分のトレー２に前記複数の通気口１５が、形成されている。このため、まず、トレー２の上面側でディスクの下面側の外周よりは少し内方に入った部分を流れる空気流は、通風孔１４からトレー２の下面側へと進行し、次に図６の如く、空気流入口１３から流入した冷却用空気とともに、制御素子６の外周を流れる冷却風となる。
【００２９】
この冷却風は図６の如く、制御素子６の外周を回る如く、進行することとなるが、そのようにするために、この制御素子６の外周は、切欠き８よりも大きな枠体９で囲んだ状態としている。
【００３０】
一方、通風孔１４からトレー２の下面側に進行した空気流の一部は、図５に示す如く、通気口１５からトレー２の上面側へと進行した後に、制御素子６の上面に沿う如く進行し、この上面側の冷却を行うこととなる。
【００３１】
つまり、本実施の形態においては、空気流入口１３から本体ケース１内に流入した冷却用空気と、ディスクの外周内方側を流れる空気流により、制御素子６を効果的に冷却し、この冷却により、温度上昇した空気流は、空気流出口１２から本体ケース１外に積極的に流出させることとした。
【００３２】
したがって、制御素子６は、十分に空気流によって冷却され、その結果として、この制御素子６による回転駆動手段４や光ピックアップ５の動作が極めて安定するものになる。
【産業上の利用可能性】
【００３３】
以上のように本発明は、本体ケースと、この本体ケース内に出没自在に設けたトレーと、このトレー上に配置されるディスクの回転駆動手段と、この回転駆動手段によって回転駆動されるディスクへの読み出しあるいは書き込みの少なくとも一方を行う光ピックアップと、この光ピックアップと前記回転駆動手段の少なくとも一方の制御を行う制御素子と、を備え、前記本体ケースの外周に、電源供給用あるいは信号入出力用の少なくとも一方の機能を有するコネクターを設け、このコネクターのディスクの回転方向の上流側と下流側にそれぞれ通気口を設け、これらコネクター両側の通気口のうちディスクの回転上流側の通気口を空気流出口、ディスクの回転下流側の通気口を空気流入口とし、この空気流入口の近傍に、前記制御素子を配置したものであるので、ディスクからの読み出しあるいは書き込みの動作を安定化させることができる。
【００３４】
すなわち、本発明においては、前記本体ケースの外周に、電源供給用あるいは信号入出力用の少なくとも一方の機能を有するコネクターを設け、このコネクターのディスクの回転方向の上流側と下流側にそれぞれ通気口を設け、これらコネクター両側の通気口のうちディスクの回転上流側の通気口を空気流出口、ディスクの回転下流側の通気口を空気流入口とし、この空気流入口の近傍に、前記制御素子を配置したものであるので、コネクターのディスクの回転上流側の空気流出口から、高温空気を本体ケース外に、流出させ、また、コネクターのディスクの回転下流側の空気流入口から流入した低温空気で制御素子を冷却することが出来、その結果として、制御素子が、異常高温化することは無く、これにより、ディスクからの読み出しあるいは書き込みの動作を安定化させることができるのである。
【００３５】
したがって、各種電子機器への適用が期待される。
【図面の簡単な説明】
【００３６】
【図１】本発明の一実施の形態を示す斜視図
【図２】その光ディスク装置の平面図
【図３】その光ディスク装置の平面図
【図４】その光ディスク装置の平面図
【図５】その光ディスク装置の斜視図
【図６】その光ディスク装置の斜視図
【符号の説明】
【００３７】
１    本体ケース
１Ａ    側辺
２    トレー
３    収納部
４    回転駆動手段
５    光ピックアップ
６    制御素子
７    開口部
８    切欠き
９    枠体
１０    フレキシブルケーブル
１１    コネクター
１２    空気流出口
１３    空気流入口
１４    通風孔
１５    通気口
【図１】
2010146657.tif 000003
【図２】
2010146657.tif 000004
【図３】
2010146657.tif 000005
【図４】
2010146657.tif 000006
【図５】
2010146657.tif 000007
【図６】
2010146657.tif 000008